(57)【要約】【課題】電波干渉による通信不良を考慮して、デマンドや外部機器の機能を有効に使用することを可能とするレンズシステムを提供すること。【解決手段】可動光学部材と、無線通信の周波数帯域の少なくとも一部が重なる第１の無線通信手段と第２の無線通信手段とを有するレンズ装置において、前記第１の無線通信手段は、前記レンズ装置の可動光学部材の駆動を指示する駆動指示装置を接続する無線通信手段であり、前記第２の無線通信手段は、前記レンズ装置の設定を指示する設定指示装置を接続する無線通信手段であり、前記第１および第２の無線通信手段の通信情報により、前記第１および第２の無線通信手段による無線接続を禁止する無線接続禁止手段を有することを特徴とする。【選択図】図１
2016167720.tif 000002
【特許請求の範囲】
【請求項１】
可動光学部材と、
無線通信の周波数帯域の少なくとも一部が重なる第１の無線通信手段と第２の無線通信手段と、を有するレンズ装置において、
前記第１の無線通信手段は、前記レンズ装置の可動光学部材の駆動を指示する駆動指示装置を接続する無線通信手段であり、
前記第２の無線通信手段は、前記レンズ装置の設定を指示する設定指示装置を接続する無線通信手段であり、
前記第１および第２の無線通信手段の通信情報により、
前記第１および第２の無線通信手段による無線接続を禁止する無線接続禁止手段を有することを特徴とするレンズ装置。
【請求項２】
前記通信情報は、接続状態を示す情報であり、前記無線接続禁止手段は、前記第１の無線通信手段の前記接続状態が接続中である場合は、前記第２の無線通信手段の無線接続を禁止することを特徴とする請求項１に記載のレンズ装置。
【請求項３】
前記通信情報は、通信内容を示す情報であり、前記無線接続禁止手段は、前記第２の無線通信手段の前記通信内容が前記レンズ装置の診断情報または制御プログラム情報または調整情報である場合は、前記第１の無線通信手段の無線接続を禁止することを特徴とする請求項１に記載のレンズ装置。
【請求項４】
前記通信情報は、接続状態かつ通信内容を示す情報であり、前記無線接続禁止手段は、前記第１の無線通信手段の前記接続状態が接続中であり、
かつ前記第２の無線通信手段の前記通信内容が前記可動光学部材の駆動特性の設定情報でない場合は、前記第２の無線通信手段の無線接続を禁止することを特徴とする請求項１に記載のレンズ装置。
【請求項５】
前記通信情報は、通信内容を示す情報であり、前記無線接続禁止手段は、前記第１の無線通信手段の前記通信内容が前記可動光学部材を駆動することを示す情報である場合は、前記第２の無線通信手段の無線接続を禁止することを特徴とする請求項１に記載のレンズ装置。
【請求項６】
可動光学部材を有するレンズ装置と、
前記レンズ装置の前記可動光学部材の駆動を指示する駆動指示装置と、
前記レンズ装置の設定を指示する設定指示装置と、
により構成されるレンズシステムであって、
無線通信の周波数帯域の少なくとも一部が重なる第１の無線通信手段と第２の無線通信手段とを有し、
前記第１および第２の無線通信手段の通信情報により、
前記第１および第２の無線通信手段による無線接続を禁止する無線接続禁止手段を有することを特徴とするレンズシステム。
【発明の詳細な説明】
【技術分野】
【０００１】
本発明は、レンズシステムに関し、特に無線通信を行うレンズシステムに関する。
【背景技術】
【０００２】
従来、テレビレンズ装置（以下、レンズ装置）は、ズームレンズ、フォーカスレンズ、アイリス等の可動光学部を有する。レンズ装置は、ズーム駆動の指令装置であるズームデマンドや、フォーカス駆動の指令装置であるフォーカスデマンドなどが接続され、該可動光学部を駆動させる。通常、レンズ装置とデマンドとの接続は、多ピンコネクタを使用したケーブル接続を介して行われるが、該レンズ装置とデマンドとの接続を無線通信により行うことも可能とする技術が提案されている（特許文献１）。
【０００３】
また、レンズ装置には、レンズ装置に付加されたスイッチに対する機能割付けや、可動光学部材の制御駆動特性などの各種設定を行う機能を有する。レンズ装置にコンピュータ等の外部機器を無線通信により接続し、該各種設定を行う技術が提案されている（特許文献２）。
【０００４】
これらの無線通信には、無線免許なしで利用可能な２．４ＧＨｚ帯の無線電波を用いる、Ｂｌｕｅｔｏｏｔｈ（登録商標）や無線ＬＡＮなどのローカルな無線通信システムが広く利用されている。
【先行技術文献】
【特許文献】
【０００５】
【特許文献１】特開２００８−３１００９４号公報
【特許文献２】特開２００８−３１００９５号公報
【発明の概要】
【発明が解決しようとする課題】
【０００６】
しかしながら、上述の特許文献に開示された従来技術のように、デマンドや外部機器との無線接続を行うレンズ装置において、両方の無線接続を可能とした場合、互いの無線電波が干渉してしまい、通信遅延や通信断などの問題が生じてしまう。
【０００７】
そこで、本発明の目的は、電波干渉による通信不良を考慮し、デマンドや外部機器の機能を有効に使用することを可能とするレンズシステムを提供することにある。
【課題を解決するための手段】
【０００８】
上記の目的を達成するために、本発明は、可動光学部材と、無線通信の周波数帯域の少なくとも一部が重なる第１の無線通信手段と第２の無線通信手段とを有するレンズ装置において、前記第１の無線通信手段は、前記レンズ装置の可動光学部材の駆動を指示する駆動指示装置を接続する無線通信手段であり、前記第２の無線通信手段は、前記レンズ装置の設定を指示する設定指示装置を接続する無線通信手段であり、前記第１および第２の無線通信手段の通信情報により、前記第１および第２の無線通信手段による無線接続を禁止する無線接続禁止手段を有することを特徴とする。
【発明の効果】
【０００９】
本発明によれば、電波干渉による通信不良を考慮して、デマンドや外部機器の機能を有効に使用することを可能とするレンズシステムを提供することができる。
【図面の簡単な説明】
【００１０】
【図１】実施例１における撮影システムの構成を示すブロック図
【図２】実施例１における無線通信の接続処理の流れを示すフローチャート
【図３】実施例１における通信モード設定部１１３の設定処理を示したフローチャート
【図４】実施例２における通信モード設定部１１３の設定処理を示したフローチャート
【図５】実施例３における通信モード設定部１１３の設定処理を示したフローチャート
【図６】実施例４における通信モード設定部１１３の設定処理を示したフローチャート
【発明を実施するための形態】
【００１１】
以下に、本発明の好ましい実施の形態を、添付の図面に基づいて詳細に説明する。
【実施例１】
【００１２】
以下、図１〜３を参照して、本発明の第1の実施例による、レンズシステムについて説明する。
【００１３】
図１には、本発明の第１の実施例であるレンズシステムの構成を示している。該レンズシステムは、レンズ装置１００と、該レンズ装置１００の駆動を指示する駆動指示装置であるズームデマンド２００と、該レンズ装置１００の設定を指示する設定指示装置である携帯情報端末（以下、ＰＤＡ）３００により構成されている。
【００１４】
レンズ装置１００は、第１の無線通信手段であるデマンド無線通信部１６０を有し、ズームデマンド２００が有する無線通信部２２０と無線通信による接続が可能である。また、さらにレンズ装置１００は、第２の無線通信手段であるＰＤＡ無線通信部１７０を有し、ＰＤＡ３００が有する無線通信部３２０と無線通信による接続が可能である。
【００１５】
レンズ装置１００にはＣＰＵ１１０が構成され、該ＣＰＵ１１０には、レンズ制御部１１１とレンズ設定部１１２、無線接続禁止手段である通信モード設定部１１３が含まれる。
【００１６】
レンズ制御部１１１では、デマンド無線通信部１６０を介し、受信した指令信号と後述する駆動設定の設定値をもとに駆動信号を生成する。可動光学部材であるズームレンズ１２０は、図示しないカム機構により光軸方向に移動し、変倍動作を行う。位置検出部１３０は、ズームレンズ１２０の位置を検出する。駆動部１４０は、レンズ制御部１１１からの駆動信号に基づいてモータ１５０を動作させ、ズームレンズ１２０を駆動させる。
【００１７】
以上の構成により、レンズ装置１００の変倍動作が行われる。
【００１８】
また、レンズ装置１００は可動光学部材として、ズームレンズ１２０のほかに、図示しない焦点調整を行うフォーカスレンズや、光量調整を行うアイリスが構成されるが、ズームレンズ１２０と同様のため説明を省略する。
【００１９】
レンズ設定部１１２では、レンズ装置１００に備えられた各種設定を行う。各種設定には、可動光学部材の駆動特性を変化させる駆動設定と、可動光学部材の駆動には関係しない非駆動設定とに分類される。駆動設定とは、例えば、ズームレンズ１２０が望遠端から広角端まで移動する時間である最高速設定などがある。該最高速設定の設定値に応じて、レンズ制御部１１１は駆動信号を演算し、所望の速度での変倍動作を実現する。このように駆動設定を変更することで、撮影シーンやカメラマンの好みに応じた変倍動作の駆動特性を設定することができる。
【００２０】
また、非駆動設定とは、例えば、図示しないレンズ装置１００に備えられたスイッチに対して、撮影機能を割り当てる設定などである。割り当てる機能には、テレビカメラの録画のＯＮ／ＯＦＦを指示するＶＴＲ機能や、スイッチのＯＮ／ＯＦＦ操作をカメラへ送り返すリターン（ＲＥＴ）機能などがある。該ＲＥＴ機能とは、スイッチを操作することにより、例えば複数のカメラで被写体を撮影している時に、カメラマンが使用するテレビカメラのビューファインダに映し出す映像を、自分の撮影映像から、別のカメラマンの撮影映像に切換えることができる。これにより、複数のカメラマンとの連携を意識して撮影することを可能とする機能である。このように任意のスイッチに対して所望の機能を設定することができるため、レンズ装置１００の利便性を良くしている。
【００２１】
通信モード設定部１１３では、デマンド無線通信部１６０やＰＤＡ無線通信部１７０の通信モードを設定する。デマンド無線通信部１６０とＰＤＡ無線通信部１７０は、通信モードを有し、該通信モードが接続許可モードである場合は、他の無線機器からの送信コマンドの受信を許可し、無線接続が確立可能なモードである。また、通信モードが接続禁止モードである場合は、他の無線機器からの送信コマンドは受け付けず、無線接続を確立させないモードである。
【００２２】
ズームデマンド２００は、操作部２１０と無線通信部２２０により構成される。操作部２１０は、ユーザにより操作され、該操作部２１０の操作量に基づいて指令信号を生成し、無線通信部２２０を介して、該指令信号をレンズ装置１００へ送信する。
【００２３】
ＰＤＡ３００は、操作部３１０と無線通信部３２０により構成される。操作部３１０は、例えばタッチパネルなどであり、ユーザにより操作され、前記各種設定を指示する。操作部３１０により指示された設定値は、無線通信部３２０を介して、レンズ装置１００へ送信する。
【００２４】
図２のフローチャートには、無線通信の接続処理の流れを示す。ズームデマンド２００とレンズ装置１００間における無線通信の例を説明する。
【００２５】
ズームデマンド２００の処理を図２（ａ）、レンズ装置１００の処理を図２（ｂ）のフローに示す。点線の矢印は無線通信の流れを示し、ズームデマンド２００は無線通信部２２０を、レンズ装置１００はデマンド無線通信部１６０をそれぞれ介して該無線通信を行う。
レンズ装置１００は通信モードが接続許可モードであればステップＳ２１に進み、ズームデマンド２００からの接続要求コマンドの受信を待つ。
【００２６】
ズームデマンド２００は電源が入るとステップＳ１１に進み、予め接続相手として登録されているデマンド無線通信部１６０のアドレスを読み出す。各無線通信部はそれぞれ固有のアドレスを有し、該アドレスを指定することにより接続相手を選択する。該アドレスは予めユーザにより登録（記憶）される。アドレスの読み出すと、レンズ装置１００に対し、接続要求コマンドを送信する。
【００２７】
接続要求コマンドには、読み出したアドレスと、予め設定されている認証コードを付随させて送信する。無線機器においては、セキュリティを確保するために認証コードが用いられ、各無線機器に予め設定された認証コードが一致する場合に無線接続を確立させる方式がとられる。本実施例においては、デマンドであることを表す認証コードを送信する。接続要求コマンドの送信が完了すると、ステップＳ１２に進み、レンズ装置１００からの接続許可コマンドの受信を待つ。
【００２８】
次に、レンズ装置１００の処理は、ステップＳ２１において、接続要求コマンドを受信すると、ステップＳ２２に進み、接続要求コマンドに付随しているアドレスと認証コードが正しいかどうかの判断を行う。アドレスにおいては、受信したアドレスが自分のアドレスと一致するかを判断し、一致する場合は自分に対するコマンドであることを認識する。認証コードにおいては、予め設定されている認証コード（デマンドを表すコード）と一致するかを判断し、一致する場合は接続対象として正常であることを認識する。アドレス及び認証コードが共に一致する場合はステップＳ２３に進み、どちらか一方でも異なれば、ステップＳ２１に戻り、再び接続要求コマンドの受信を待つ。ステップＳ２３では、接続要求コマンドを送信したズームデマンド２００に対し、接続許可コマンドを送信する。接続許可コマンドを送信するとステップＳ２４に進み、指令信号の受信待ちとなる。
【００２９】
次に、ズームデマンド２００の処理は、ステップＳ１２で接続許可コマンドを受信すると、ステップＳ１３に進む。以上により、ズームデマンド２００とレンズ装置１００の無線接続が確立することとなる。ステップＳ１３では、操作部２１０によりユーザに操作される操作量に応じた指令信号をレンズ装置１００に送信する。送信が完了すると、再びステップＳ１３に戻り、所定の周期で指令信号を送信し続ける。
【００３０】
次に、レンズ装置１００の処理は、ステップＳ２４で指令信号を受信すると、該指令信号から前述したように駆動信号を生成し、ズームレンズ１２０の駆動を行う。
【００３１】
以上により、ズームデマンド２００とレンズ装置１００の無線接続が確立し、指令信号を無線通信により伝達し、ズームレンズ１２０の駆動を実現する。
【００３２】
図２においては、ズームデマンド２００とレンズ装置１００の例について説明したが、ＰＤＡ３００とレンズ装置１００の無線通信についても同様である。ＰＤＡ３００の場合、レンズ装置１００は、ステップＳ２２において、接続要求コマンドがＰＤＡ無線通信部１７０のアドレスとＰＤＡを表す認証コードであれば接続許可と判断する。よって、ＰＤＡ３００は、ＰＤＡ無線通信部１７０を介して、レンズ装置１００と無線接続が確立する。また、ステップＳ１３における指令信号は、操作部３１０によりユーザが操作する各種設定の設定値であり、ステップＳ２４において、レンズ設定部１１２により該設定値に従ってレンズ装置１００の設定が変更される。
【００３３】
図３は本実施例における通信モード設定部１１３の設定処理を示したフローチャート図である。
【００３４】
テレビカメラの撮影において、変倍動作などの可動光学部材の操作は、単なる構図変更だけではなく、映像表現として使用されるため、デマンド操作による変倍動作の応答性などの操作性能は非常に重視される。
【００３５】
よって、本実施例では、ズームデマンド２００との無線接続とＰＤＡ３００との無線接続が同時に行われた場合は、電波干渉による通信遅延や通信断などによる操作性能の低下を防ぐために、ズームデマンド２００との無線接続を優先する例について説明する。
【００３６】
レンズ装置１００は電源が入るとステップＳ３１に進み、デマンド無線通信部１６０を接続許可モードに設定する。またステップＳ３２では、ＰＤＡ無線通信部１７０を接続許可モードに設定する。このように電源立ち上げ時は、デマンド無線通信部１６０とＰＤＡ無線通信部１７０は、接続許可モードとなり、ズームデマンド２００とＰＤＡ３００との無線接続が可能な状態となる。
【００３７】
ステップＳ３３では、デマンド無線通信部１６０の無線接続が確立したかどうかを判断し、無線接続が確立されなければ、そのままズームデマンド２００、ＰＤＡ３００共に無線接続可能な状態が維持される。また、無線接続が確立した場合は、ステップＳ３４に進み、ＰＤＡ無線通信部１７０を接続禁止モードに設定し、ＰＤＡ３００との無線接続を禁止する。
【００３８】
次に、ステップＳ３５では、デマンド無線通信部１６０の無線接続が切断されたかどうかを判断する。デマンド無線通信部１６０の無線接続が確立している間は、ＰＤＡ無線通信部１７０が接続禁止モードのままとなる。また、デマンド無線通信部１６０の無線接続が切断されると、ステップＳ３１に戻り、再びズームデマンド２００、ＰＤＡ３００共に無線接続可能な状態に設定される。
【００３９】
以上により、レンズ装置１００は、ズームデマンド２００と無線接続確立中はＰＤＡ３００との無線接続は不可となり、両方の無線通信部が無線接続状態となることがなくなる。よって、電波干渉を防ぐことができ、ズームデマンド２００による変倍動作の操作性能の低下を防ぐことができる。
【００４０】
なお、本実施例においては、駆動を指示する駆動指示装置としてズームデマンド２００、設定を指示する設定指示装置としてＰＤＡ３００とする例について述べたが、これに限られるわけではない。例えば、これらが駆動指示装置としてフォーカスデマンドや設定指示装置としてコンピュータなどであっても良い。
【００４１】
また、本実施例においては、レンズ装置１００は、デマンド無線通信部１６０とＰＤＡ無線通信部１７０の２つの無線通信部を有する例について述べたが、これに限られるわけではない。例えば、１つの無線通信部とし、該無線通信部でデマンドとＰＤＡの両方の認証コードを受け付けることにより、両方の機器との無線通信を可能とする構成などであっても良い。その場合、認証コードの受け付けを禁止することにより無線機器の接続禁止を実現することが可能である。
【００４２】
また、本実施例においては、レンズ装置１００に、デマンド無線通信部１６０とＰＤＡ無線通信部１７０の２つの無線通信部と、通信モード設定部１１３を有する例について述べたが、これに限られるわけではない。例えば、ズームデマンド２００に２つの無線通信部と通信モード設定部を有する構成としても良い。その場合、ズームデマンド２００は、レンズ装置１００とＰＤＡ３００の両方と通信可能となり、ズームデマンド２００とレンズ装置１００の無線接続が確立したならば、ＰＤＡ３００との無線接続を禁止とする。
【実施例２】
【００４３】
以下、図４を参照して、本発明の第２の実施例による、レンズシステムについて説明する。
【００４４】
本実施例のレンズシステムの構成については、第１の実施例の図１と同様なので説明を省略する。
【００４５】
第１の実施例では、テレビカメラの撮影時においては、デマンドの操作性能が重要視されるため、デマンドとの無線接続を優先する例について述べたが、撮影時以外においてはＰＤＡとの無線接続を優先するほうが望ましい場合がある。例えば、自己診断実行時などである。
【００４６】
自己診断とは、その自己診断用のプログラムを実装したＰＤＡ３００をレンズ装置１００に接続し、そのプログラムを実行することによって、レンズ装置１００の作動状態の点検や異常の有無などをＰＤＡ３００の画面上で確認できるようにしたものである。その際、ＰＤＡ３００からはレンズ装置１００に規定の動作（変倍や焦点調整等の動作）を実行させる指令信号等が送信される。また、レンズ装置１００からＰＤＡ３００には、診断に必要な情報（電源電圧、指令信号に従った動作時の各種センサ出力や各回路の電流・電圧値等）が送信される。
【００４７】
該自己診断実行中に、電波干渉による通信遅延や通信断などが発生した場合、正常な診断が行えない可能性がある。
【００４８】
よって、本実施例では、ＰＤＡ３００による自己診断が実行された場合は、レンズ装置１００とＰＤＡ３００との無線接続を優先する例について説明する。
【００４９】
図４は本実施例における通信モード設定部１１３の設定処理を示したフローチャート図である。
【００５０】
第１の実施例で説明した図３と同一符号で示されたステップは同様なので、説明を省略する。
【００５１】
ステップＳ４１では、ＰＤＡ３００がレンズ装置１００と無線接続が確立し、かつ、自己診断が実行されるかどうかを判断する。自己診断が実行されていなければ、ズームデマンド２００、ＰＤＡ３００共に無線接続可能な状態が維持される。また、自己診断が実行された場合は、ステップＳ４２に進み、デマンド無線通信部１６０を接続禁止モードに設定する。よって、この際、ズームデマンド２００がレンズ装置１００と無線接続しようとしても接続は確立されず、また、無線接続中であっても接続が切断されることとなる。
【００５２】
次に、ステップＳ４３では、自己診断が終了したかどうかを判断する。自己診断が継続している間は、デマンド無線通信部１６０が接続禁止モードのままとなる。また、自己診断が終了すると、ステップＳ３１に戻り、再びズームデマンド２００、ＰＤＡ３００共に無線接続可能な状態に設定される。
【００５３】
以上により、レンズ装置１００は、ＰＤＡ３００による自己診断実行中はズームデマンド２００との無線接続は不可となり、両方の無線通信部が無線接続状態となることがないため、電波干渉を防ぐことができ、自己診断を正常に動作させることができる。
【００５４】
なお、本実施例においては、ＰＤＡ３００による自己診断実行時にズームデマンド２００との無線接続を禁止する例について述べたが、これに限られるわけではない。例えば、ＰＤＡ３００からのソフトウェアの更新動作時にズームデマンド２００との無線接続を禁止するなどしても良い。レンズ装置１００には、一般に制御系をプログラム動作させるためのソフトウェアが記憶されており、そのソフトウェアを更新することもＰＤＡ３００を通じて行うことができる。しかし、ソフトウェア更新中に電波干渉による通信断などが発生すると、ソフトウェアが正常に更新されず、レンズ装置１００が意図しない動作となる場合が生じる可能性がある。よって、ソフトウェア更新動作中は、ＰＤＡ３００の無線接続を優先することにより、レンズ装置１００が意図しない動作となる場合を防ぐことができる。
【００５５】
さらには、ＰＤＡ３００からの自動調整時にズームデマンド２００との無線接続を禁止するなどしても良い。レンズ装置１００には、個体差によるレンズ性能のばらつきを防ぐため、可動光学部材を駆動させ、その結果により駆動速度や駆動領域などを自動調整することもＰＤＡ３００を通じて行うことができる。自動調整時においても同様で、自動調整動作中は、ＰＤＡ３００の無線接続を優先することにより、レンズ装置１００が意図しない動作となる場合を防ぐことができる。
【実施例３】
【００５６】
以下、図５を参照して、本発明の第３の実施例による、レンズシステムについて説明する。
【００５７】
本実施例のレンズシステムの構成については、第１の実施例の図１と同様なので説明を省略する。
【００５８】
第１の実施例では、ズームデマンド２００が無線接続時はＰＤＡ３００の無線接続を禁止する例について述べた。しかし、ＰＤＡ３００によるレンズ装置１００の各種設定において、駆動特性に関する駆動設定を行う場合は、該駆動設定を変更しながらズームデマンド２００によりレンズ装置１００を操作し、実施の駆動特性の確認が行える方が使い勝手が良い。
【００５９】
よって、本実施例では、ＰＤＡ３００による駆動設定時は、ズームデマンド２００を接続してもＰＤＡ３００の接続を継続する例について説明する。
図５は本実施例における通信モード設定部１１３の設定処理を示したフローチャート図である。
【００６０】
第１の実施例で説明した図３と同一符号で示されたステップは同様なので、説明を省略する。
【００６１】
ステップＳ５１では、ＰＤＡ３００がレンズ装置１００と無線接続が確立し、かつ、駆動設定中かどうかを判断する。駆動設定中でなければ、ステップＳ３３に進み、ズームデマンド２００が無線接続されると、ＰＤＡ無線通信部１７０を接続禁止モードに設定する。また、駆動設定中であれば、ズームデマンド２００、ＰＤＡ３００共に無線接続可能な状態が維持される。よって、この際に、ズームデマンド２００の接続処理が行われても無線接続が確立することとなり、ズームデマンド２００とＰＤＡ３００の両方が接続される状態とすることができる。
【００６２】
以上により、ズームデマンド２００によりレンズ装置１００を駆動させながら、ＰＤＡ３００により駆動設定を変更することができ、使い勝手が良くなる。第１の実施例で述べたように、テレビカメラの撮影時では、ズームデマンド２００の操作性能が重要となるため、電波干渉を防ぐためにＰＤＡ３００の接続を禁止することが望ましい。しかし、駆動設定を変更する場合は、撮影前の準備段階で行われるため、ズームデマンド２００の操作性を優先するよりも、電波干渉を許容して両方を接続可能としたほうが駆動特性の確認ができ利便性が高い。
【００６３】
なお、本実施例においては、駆動特性に関する駆動設定時に、ズームデマンド２００とＰＤＡ３００の両方の無線接続を可能とする例について述べたが、これに限られるわけではない。例えば、レンズ装置１００やズームデマンド２００に備えられたスイッチがＯＮされると両方の通信モードを接続許可モードとするなどしても良い。
【実施例４】
【００６４】
以下、図６を参照して、本発明の第４の実施例による、レンズシステムについて説明する。
【００６５】
本実施例のレンズシステムの構成については、第１の実施例の図１と同様なので説明を省略する。
【００６６】
第３の実施例では、駆動設定時の利便性を高めるため、ズームデマンド２００とＰＤＡ３００を同時に接続可能とする例について説明した。しかし、両方の無線接続が行なわれるため、電波干渉による操作性能の低下は許容しなければならない。よって、本実施例では、駆動設定時に、電波干渉を防止しつつ、ズームデマンド２００とＰＤＡ３００を効果的に無線接続する例について説明する。
【００６７】
図６は本実施例における通信モード設定部１１３の設定処理を示したフローチャート図である。
【００６８】
第１の実施例で説明した図３と同一符号で示されたステップは同様なので、説明を省略する。
【００６９】
ステップＳ６１では、ズームデマンド２００がレンズ装置１００と無線接続が確立し、かつ、操作部２１０が操作されているかどうかを判断する。操作がされていなければ、ズームデマンド２００、ＰＤＡ３００共に無線接続可能な状態が維持され、操作がされていれば、ステップＳ６２に進む。ステップＳ６２では、ＰＤＡ３００が無線接続中であれば、無線通信の一時中断を指示するコマンド（通信中断コマンド）をＰＤＡ３００に送信する。ＰＤＡ３００は、該通信中断コマンドを受信すると、レンズ装置１００への指令信号の送信を停止する。
【００７０】
次に、ステップＳ６３では、ＰＤＡ無線通信部１７０の通信モードを接続禁止モードに設定し、ＰＤＡ３００との無線接続を受け付けなくする。
【００７１】
次に、ステップＳ６４では、ズームデマンド２００の操作部２１０が無操作状態で一定時間が経過したかどうかを判断する。該一定時間とは、ユーザが操作を終了したと判断できる時間であり、任意に設定して良い。無操作状態が一定時間経過した場合は、ステップＳ６５に進み、無操作状態が一定時間経過するまでは、ＰＤＡ無線通信部１７０が接続禁止モードの状態が維持される。
【００７２】
次に、ステップＳ６５では、ＰＤＡ無線通信部１７０の通信モードを接続許可モードに設定し、ＰＤＡ３００との無線接続が可能な状態とする。
【００７３】
次に、ステップＳ６６では、ステップＳ６３で無線通信の通信中断コマンドを送信したＰＤＡ３００に対して、無線通信の再開を指示するコマンド（通信再開コマンド）を送信する。ＰＤＡ３００は、通信再開コマンドを受信すると、レンズ装置１００への指令信号の送信を再開する。
【００７４】
ステップＳ６６が終了するとステップＳ６１に戻り、再びズームデマンド２００が操作されるまで、ズームデマンド２００、ＰＤＡ３００共に無線接続可能な状態が維持される。
【００７５】
以上により、ズームデマンド２００が操作されるとＰＤＡ３００との無線接続が禁止され、電波干渉を防ぐことができるため、操作性能が低下することはない。また、ズームデマンド２００の操作が終了すると、ＰＤＡ３００との無線接続が再開されるため、レンズ装置１００の設定が行える。よって、ＰＤＡ３００による設定を行いながらズームデマンド２００によりレンズ装置１００を駆動させることができるため、駆動設定時などの利便性が良くなる。
【００７６】
なお、本実施例においては、ＰＤＡ３００の無線接続を禁止する際に、すでに接続が確立している場合は、該ＰＤＡ３００に対して無線通信の通信中断コマンドを送信する例について述べたが、これに限られるわけではない。例えば、無線接続禁止状態となった後に、ＰＤＡ３００から無線接続の開始を要求するための接続要求コマンドが送信された場合も、同様に、コマンド送信を停止するコマンドを送信し、接続要求を停止させるようにしても良い。
【００７７】
以上、本発明の好ましい実施形態について説明したが、本発明はこれらの実施形態に限定されず、その要旨の範囲内で種々の変形及び変更が可能である。
【符号の説明】
【００７８】
１００  レンズ装置、１１１  レンズ制御部、１１２  レンズ設定部、
１１３  通信モード設定部、１６０  デマンド無線通信部、
１７０  ＰＤＡ無線通信部、２００  ズームデマンド、３００  ＰＤＡ
【図１】
2016167720.tif 000003
【図２】
2016167720.tif 000004
【図３】
2016167720.tif 000005
【図４】
2016167720.tif 000006
【図５】
2016167720.tif 000007
【図６】
2016167720.tif 000008